(57)【特許請求の範囲】
【請求項１】
同一平面内に連なる表示部上部・表示部下部の、該表示部下部に自立装置を形成するためのフラップを連設した一枚のブランクからなることを特徴とする立て看板であって、
両側からの切り込みにより区分された、同一平面内に連なる表示部上部・表示部下部の、両端中央部の内側に左突起挿入孔、右突起挿入孔を穿設してある該表示部下部の左側に、下部を内方に膨らんだ切り込みとしてある筋押しを介して左第一折り返し板を連設し、該左第一折り返し板に、下部を外方に膨らんだ切り込みとしてある筋押しを介して、左端中央部に左突起部を有する左第二折り返し板を連設し、該表示部下部の右側に、下部を内方に膨らんだ切り込みとしてある筋押しを介して右第一折り返し板を連設し、該右第一折り返し板に、下部を外方に膨らんだ切り込みとしてある筋押しを介して、右端中央部に右突起部を有する右第二折り返し板を連設したブランクを用いて、各筋押しを同じ方向に折り曲げて左突起部を左突起挿入孔に挿入して固定し、右突起部を右突起挿入孔に挿入して固定したことを特徴とする立て看板。
【請求項２】
同一平面内に連なる表示部上部・表示部下部の、該表示部下部に自立装置を形成するためのフラップを連設した一枚のブランクからなることを特徴とする立て看板であって、
両側からの切り込みにより区分された、同一平面内に連なる表示部上部・表示部下部の、下両隅部を切り込みにより隅切りされた該表示部下部の下側に、筋押しを介して底板を連設し、該底板の下側に筋押しを介して、下部両端部に左係合溝・右係合溝を施してある折り返し板を連設し、該表示部下部の左側に、下部を内方に膨らみ、筋押しに交わる近辺で外方に延びる切り込みとしてある筋押しを介して、下部に左係合溝を施してある左側板を連設し、該表示部下部の右側に、下部を内方に膨らみ、筋押しに交わる近辺で外方に延びる切り込みとしてある筋押しを介して、下部に右係合溝を施してある右側板を連設したブランクを用いて、各筋押しを同じ方向に折り曲げて左側板係合溝を左係合溝に、そして右側板係合溝を右係合溝に係合して固定したことを特徴とする請求項１に記載の立て看板。
【発明の詳細な説明】
【０００１】
【発明の属する技術分野】
本発明は、簡便な立て看板に関するものである。
【０００２】
【従来の技術】
従来、この種の立て看板では、予め用意された紙、プラスチック成型物、金属等からなるいくつかの部材を組み立てる構造を採るものが多く、このような場合では部材が多くなる分それだけ構造は複雑となり、輸送、保管時にかさばり、分別廃棄が必要となり、同時にコストも高くなってしまうために利用される分野は自ずと限定されていた。一方、紙製の簡便小型なものもあるにはあったのであるが、これらはあまりにも軟弱にして自重で変形したりして使用に耐えないものが多かった。
【０００３】
【発明が解決しようとする課題】
本発明は、従来技術の欠点に鑑みてなされたものであり、極めて紙取りよく（廃棄部分少なく）打ち抜き加工され、筋押しおよび切り込みをもって形成された一枚の紙若しくはプラスチックシート等の概ね単一素材よりなるブランクを用いて組立道具および接着剤等を一切使わずに完成品を得ることができるために組み立て、および廃棄は極めて容易であり、そして、不使用時には畳んでしまっておいて何度でも組み立てて使用することができ、また、コストに比較して表示面積の多い、一定の強度を確保しやすい、ＰＯＰ、表示板、広告、告知ボード等として利用できる簡便な立て看板を提供しようとするものである。
【０００４】
【課題を解決するための手段】
本発明は、同一平面内に連なる表示部上部・表示部下部の、該表示部下部に自立装置を形成するためのフラップを連設した一枚のブランクからなることを特徴とする立て看板である。
【０００５】
そして、両側からの切り込み（１ｌ）、（１ｌ’）により区分された、同一平面内に連なる表示部上部（１Ａ）・表示部下部（１Ａ’）の、両端中央部の内側に左突起挿入孔（１ｒ）、右突起挿入孔（１ｒ’）を穿設してある該表示部下部（１Ａ’）の左側に、下部を内方に膨らんだ切り込み（１ｍ）としてある筋押し（１ｏ）を介して左第一折り返し板（１Ｂ）を連設し、該左第一折り返し板（１Ｂ）に、下部を外方に膨らんだ切り込み（１ｎ）としてある筋押し（１ｐ）を介して、左端中央部に左突起部（１ｑ）を有する左第二折り返し板（１Ｃ）を連設し、該表示部下部（１Ａ’）の右側に、下部を内方に膨らんだ切り込み（１ｍ’）としてある筋押し（１ｏ’）を介して右第一折り返し板（１Ｂ’）を連設し、該右第一折り返し板（１Ｂ’）に、下部を外方に膨らんだ切り込み（１ｎ’）としてある筋押し（１ｐ’）を介して、右端中央部に右突起部（１ｑ’）を有する右第二折り返し板（１Ｃ’）を連設したブランクからなる立て看板である。
【０００６】
上記ブランクから立て看板を得るには、筋押し（１ｏ）、（１ｐ）をそれぞれ谷折りして左突起部（１ｑ）を左突起挿入孔（１ｒ）に挿入して固定し、同様に筋押し（１ｏ’）、（１ｐ’）をそれぞれ山折りして右突起部（１ｑ’）を右突起挿入孔（１ｒ’）に挿入して固定すればよい。
【０００７】
このとき、左第一折り返し板（１Ｂ）および左第二折り返し板（１Ｃ）、右第一折り返し板（１Ｂ’）および右第二折り返し板（１Ｃ’）はそれぞれ表示部下部（１Ａ’）の裏面左右端部に補強のための中空三角柱構造を形成し、また左第一折り返し板（１Ｂ）および右第一折り返し板（１Ｂ’）の下部は前後方向にのびる左右の「足」を形成するものである。
ここで、表示部下部（１Ａ’）を幅狭とした場合には、その分は左右第一折り返し板（１Ｂ）、（１Ｂ’）、左右第二折り返し板（１Ｃ）、（１Ｃ’）に充当されて該部の強度を裏面から中空三角柱構造をもって十分に補う構造となる。
【０００８】
また本発明は上記発明において、両側からの切り込み（２ｌ）、（２ｌ’）により区分された、同一平面内に連なる表示部上部（２Ａ）・表示部下部（２Ａ’）の、下両隅部を切り込み（２ｍ）、（２ｍ’）により隅切りされた該表示部下部（２Ａ’）の下側に、筋押し（２ｐ）を介して底板（２Ｃ）を連設し、該底板（２Ｃ）の下側に筋押し（２ｑ）を介して、下部両端部に左係合溝（２ｙ）・右係合溝（２ｙ’）を施してある折り返し板（２Ｄ）を連設し、該表示部下部（２Ａ’）の左側に、下部を内方に膨らみ、筋押し（２ｐ）に交わる近辺で外方に延びる切り込み（２ｍ）としてある筋押し（２ｏ）を介して、下部に左側板係合溝（２ｘ）を施してある左側板（２Ｂ）を連設し、該表示部下部（２Ａ’）の右側に、下部を内方に膨らみ、筋押し（２ｐ）に交わる近辺で外方に延びる切り込み（２ｍ’）としてある筋押し（２ｏ’）を介して、下部に右側板係合溝（２ｘ’）を施してある右側板（２Ｂ’）を連設したブランクからなる立て看板である。
【０００９】
上記ブランクから立て看板を得るには、各筋押し（２ｏ）、（２ｏ’）、（２ｐ）、（２ｑ）をそれぞれ山折りして左側板係合溝（２ｘ）を左係合溝（２ｙ）に、そして右側板係合溝（２ｘ’）を右係合溝（２ｙ’）に相互に係合して固定すればよい。
【００１０】
このとき、左側板（２Ｂ）、右側板（２Ｂ’）は表示部下部（２Ａ’）の左右端で後方にのびた補強板を形成し、左側板（２Ｂ）および右側板（２Ｂ’）の下部は前後方向にのびる左右の「足」を形成するものである。
【００１４】
【発明の実施の形態】
本発明の立て看板を一実施形態に基づいて以下に詳細に説明する。図１は、本発明の一実施例の立て看板を得るブランクの平面図的な概略図である。図２は、図１に示した立て看板の使用時における、表側からみた斜視図的な概略図である。図３は、本発明の他実施例の立て看板を得るブランクの平面図的な概略図である。図４は、図３に示した立て看板の使用時における、裏側からみた斜視図的な概略図である。図１〜図４において、１Ａは表示部上部、１Ａ’は表示部下部、１Ｂは左第一折り返し板、１Ｂ’は右第一折り返し板、１Ｃは左第二折り返し板、１Ｃ’は右第二折り返し板、１ｌ，１ｌ’，１ｍ，１ｍ’，１ｎ，１ｎ’は切り込み、１ｏ，１ｏ’，１ｐ，１ｐ’は筋押し、１ｑは左突起部、１ｑ’は右突起部、１ｒは左突起挿入孔、１ｒ’は右突起挿入孔、１ｑ’は右突起部、２Ａは表示部上部、２Ａ’は表示部下部、２Ｂは左側板、２Ｂ’は右側板、２Ｃは底板、２Ｄは折り返し板、２ｌ，２ｌ’，２ｍ，２ｍ’は切り込み、２ｏ，２ｏ’，２ｐ，２ｑは筋押し、２ｘは左側板係合溝、２ｘ’は右側板係合溝、２ｙは左係合溝、２ｙ’は右係合溝、である。
【００１５】
【実施例】
本発明の立て看板を具体的な実施例をあげて詳細に説明する。
【００１６】
＜実施例１＞
両側からの切り込み（１ｌ）、（１ｌ’）により概ね区分された、同一平面内に連なる表示部上部（１Ａ）・表示部下部（１Ａ’）の、両端中央部のやや内側に左突起挿入孔（１ｒ）、右突起挿入孔（１ｒ’）を穿設してある該表示部下部（１Ａ’）の左側に、下部を内方に膨らんだ切り込み（１ｍ）としてある筋押し（１ｏ）を介して左第一折り返し板（１Ｂ）を連設し、該左第一折り返し板（１Ｂ）に、下部を外方に膨らんだ切り込み（１ｎ）としてある筋押し（１ｐ）を介して、左端中央部に左突起部（１ｑ）を有する左第二折り返し板（１Ｃ）を連設し、該表示部下部（１Ａ’）の右側に、下部を内方に膨らんだ切り込み（１ｍ’）としてある筋押し（１ｏ’）を介して右第一折り返し板（１Ｂ’）を連設し、該右第一折り返し板（１Ｂ’）に、下部を外方に膨らんだ切り込み（１ｎ’）としてある筋押し（１ｐ’）を介して、右端中央部に右突起部（１ｑ’）を有する右第二折り返し板（１Ｃ’）を連設した左右対称形の紙若しくはプラスチックシート製ブランクを用い、筋押し（１ｏ）、（１ｐ）をそれぞれ山折りして左突起部（１ｑ）を左突起挿入孔（１ｒ）に挿入して固定し、同様に筋押し（１ｏ’）、（１ｐ’）をそれぞれ山折りして右突起部（１ｑ’）を右突起挿入孔（１ｒ’）に挿入して固定して立て看板を得た。本実施例の立て看板は、左右第一折り返し板（１Ｂ）、（１Ｂ’）下部は前後方向に十分に延びた左右の「足」を形成するため、風等で容易に倒れることのない安定したものであった。また、左第一折り返し板（１Ｂ）および左第二折り返し板（１Ｃ）、右第一折り返し板（１Ｂ’）および右第二折り返し板（１Ｃ’）はそれぞれ表示部下部（１Ａ’）の裏面左右端部に補強のための中空三角柱構造を形成し十分に補強されていた。この場合、表示部下部をデザイン上の理由等により幅狭とした場合でも、その分は左右第一折り返し板、左右第二折り返し板に充当されて該部の強度を裏面から中空三角柱構造をもって補う構成である。（これは請求項１の場合の一実施例に該当する。）
【００１７】
＜実施例２＞
両側からの切り込み（２ｌ）、（２ｌ’）により概ね区分された、同一平面内に連なる表示部上部（２Ａ）・表示部下部（２Ａ’）の、下両隅部を切り込み（２ｍ）、（２ｍ’）により隅切りされた該表示部下部（２Ａ’）の下側に、筋押し（２ｐ）を介して底板（２Ｃ）を連設し、該底板（２Ｃ）の下側に筋押し（２ｑ）を介して、下部両端部に左係合溝（２ｙ）、右係合溝（２ｙ’）を施してある折り返し板（２Ｄ）を連接し、該表示部下部（２Ａ’）の左側に、下部を内方に膨らみ、筋押し（２ｐ）に交わる近辺で外方に延びる切り込み（２ｍ）としてある筋押し（２ｏ）を介して、下部に左側板係合溝（２ｘ）を施してある左側板（２Ｂ）を連設し、該表示部下部（２Ａ’）の右側に、下部を内方に膨らみ、筋押し（２ｐ）に交わる近辺で外方に延びる切り込み（２ｍ’）としてある筋押し（２ｏ’）を介して、下部に右側板係合溝（２ｘ’）を施してある右側板（２Ｂ’）を連設した左右対称形の紙若しくはプラスチックシート製ブランクを用い、各筋押し（２ｏ）、（２ｏ’）、（２ｐ）、（２ｑ）をそれぞれ山折りして左側板係合溝（２ｘ）を左係合溝（２ｙ）に、そして右側板係合溝（２ｘ’）を右係合溝（２ｙ’）に相互に係合して固定して立て看板を得た。本実施例の立て看板は、左側板（２Ｂ）、右側板（２Ｂ’）は表示部下部（２Ａ’）の左右端で後方にのびた補強板を形成し、左側板（２Ｂ）および右側板（２Ｂ’）の下部は前後方向に延びた左右の「足」を形成するため風等で容易に倒れることのない安定したものであった。（これは請求項２の場合の一実施例に該当する。）
【００１９】
【発明の効果】
本発明立て看板は、極めて紙取りよく（廃棄部分少なく）打ち抜き加工され、筋押しおよび切り込みをもって形成された一枚の紙若しくはプラスチックシート等の概ね単一素材よりなるブランクを用いて、組立道具および接着剤等を一切使わずに完成品を得ることができるために組み立て、および廃棄は極めて容易である。そして、不使用時には畳んでしまっておいて何度でも組み立てて使用することができる。また、コストに比較して表示面積の多い、一定の強度を確保したものであり、ＰＯＰ、表示板、広告、告知ボード等として利用できる簡便な立て看板を提供しようとするものである。
【００２０】
また本発明の、紙若しくはプラスチックシート製ブランクよりなる立て看板は各筋押しをそれぞれ山折りして突起部を突起挿入孔に挿入して固定したとき、左右第一折り返し板の下部は前後方向に十分に延びた左右の「足」を形成するものであり、風等で容易に倒れることはなく安定したものである。
全体的な形状を表示物（例えばパンダ、キリン等に）にあわせて多少変えることも可能であり、この時は表示の効果を一層あげることができた。
【図面の簡単な説明】
【図１】本発明の一実施例の立て看板を得るブランクの平面図的な概略図である。
【図２】図１に示した立て看板の使用時における、表側からみた斜視図的な概略図である。
【図３】本発明の他実施例の立て看板を得るブランクの平面図的な概略図である。
【図４】図３に示した立て看板の使用時における、裏側からみた斜視図的な概略図である。
【符号の説明】
１Ａ…表示部上部
１Ａ’…表示部下部
１Ｂ…左第一折り返し板
１Ｂ’…右第一折り返し板
１Ｃ…左第二折り返し板
１Ｃ’…右第二折り返し板
１ｌ，１ｌ’，１ｍ，１ｍ’，１ｎ，１ｎ’…切り込み
１ｏ，１ｏ’，１ｐ，１ｐ’…筋押し
１ｑ…左突起部
１ｑ’…右突起部
１ｒ…左突起挿入孔
１ｒ’…右突起挿入孔
１ｑ’…右突起部
２Ａ…表示部上部
２Ａ’…表示部下部
２Ｂ…左側板
２Ｂ’…右側板
２Ｃ…底板
２Ｄ…折り返し板
２ｌ，２ｌ’，２ｍ，２ｍ’…切り込み
２ｏ，２ｏ’，２ｐ，２ｑ…筋押し
２ｘ…左側板係合溝
２ｘ’…右側板係合溝
２ｙ…左係合溝
２ｙ’…右係合溝
【図１】
0003624692.tif 000002
【図２】
0003624692.tif 000003
【図３】
0003624692.tif 000004
【図４】
0003624692.tif 000005